【手続補正書】
【提出日】平成28年4月8日(2016.4.8)
【手続補正１】
【補正対象書類名】特許請求の範囲
【補正対象項目名】請求項８
【補正方法】変更
【補正の内容】
【請求項８】
さらに、第２方向に沿う分割壁から外方に延びる１対のリブを有し、１対のリブのそれぞれは、差動信号対の１つの信号接点の選択した１つを受けるポケットを画定するように、第１および第２方向の両方に垂直である第３方向に沿って一定間隔で配置される、請求項６記載の電気コネクタ。
【手続補正２】
【補正対象書類名】明細書
【補正対象項目名】０１０３
【補正方法】変更
【補正の内容】
【０１０３】
[０１６７] したがって、第１凹所２２２ａは、横方向Ａに沿って第２凹所２２２ｂと整列することができ、かつ、横断方向Ｔに沿って第４凹所２２２ｄと整列することができる。第１凹所２２２ａは、横方向Ａおよび横断方向Ｔの両方に沿って第３凹所２２２ｃから間隔を置くことができる。第２凹所２２２ｂは横方向Ａに沿って第１凹所２２２ａと整列することができ、かつ、横断方向Ｔに沿って第３凹所２２２ｃと整列することができる。第２凹所２２２ｂは、横方向Ａおよび横断方向Ｔの両方に沿って第４凹所２２２ｄから一定間隔で配置することができる。第３凹所２２２ｃは横方向Ａに沿って第４凹所２２２ｄと整列することができ、かつ、横断方向Ｔに沿って第２凹所２２２ｂと整列することができる。第３凹所２２２ｃは、横方向Ａおよび横断方向Ｔの両方に沿って第１凹所２２２ａから一定間隔で配置することができる。第４凹所２２２ｄは、横方向Ａに沿って第３凹所２２２ｃと整列することができ、かつ、横断方向Ｔに沿って第１凹所２２２ａと整列することができる。第４凹所２２２ｄは、横方向Ａおよび横断方向Ｔの両方に沿って第２凹所２２２ｂから一定間隔で配置することができる。それぞれの床２２４および側面部表面２２５ａ-ｂを有する凹所２２２ａ-ｄのそれぞれは、それらが、後部壁２２６に向かって前方端部２０８ａ内に延びるとともに、前方端部２０８ａから相互にほぼ平行に延びることができ、または、それらが、後部壁２２６に向かって前方端部２０８ａ内に延びるとともに、１つ、またはそれ以上すべてまでの他の凹所２２２ａ-ｄに関して、代りに、集中するか、または分岐することができる。
【手続補正３】
【補正対象書類名】明細書
【補正対象項目名】０１３８
【補正方法】変更
【補正の内容】
【０１３８】
[０２００] リード２７１のそれぞれは、リードフレームハウジンング２３２から遠位端に外に延びる軸２７１ａ、および軸２７１ａから、角度をなして偏位される方向に沿って軸２７１ａの遠位端から延び、さらに、それぞれのリニアアレイ２５１および長手方向Ｌを有する平面に関して角度をなして偏位するフック２７１ｂを有することができる。したがって、リード２７１は、ほぼ「Ｊ−形」であることができ、かつ、Ｊ−形リードとして参照することができる。例えば、リード２７１の直ちに隣接するもののフック２７１ｂは、異なる、例えば、対向する方向に方向付けすることができる。例証された実施例によれば、リード２７１の第１のもの２７３ａは、第１方向に方向付し、さらに、リード２７１の第２もの２７３ｂは、第２方向に方向付けすることができ、例えば、対向する第１方向から角度をなして偏位される第２方向に方向付けされる。リード２７１の第１および第２直ちに隣接する２７３ａ-ｂは、第１および第２のものは、差動信号対２６６を画定する信号接点２５２によって画定することができる。したがって、差動信号対を画定する第１および第２信号接点は、相互に関して角度をなして偏位されるリード２７１を有することができ、かつ、例えば、相互に関して、および横断方向および長手方向ＴおよびＬによって画定される平面に関して、対向方向に方向付けされることができ、そして、平面は、さらに、接地設置端部２７４を通過する。例えば、各対２６６のリード２７１の第１および第２のもの２７３ａ-ｂの一方のフック２７１ｂは、軸２７１ａの遠方端から  接地プレート２６８に向って延びることができ、さらに、第１および第２もの２７３ａ-ｂの１つの他方のもののフック２７１ｂは、各対２６６のリード２７１ｂは、接地プレート２６８から離れて軸２７１ａの遠位端から延びることができる。与えられた対２６１のリードフレームアセンブリ２３０ａの第１のもののリード２７１のそれぞれは、与えられた対のリードフレームアセンブリ２３０ｂの第２のもののリード２７１のそれぞれに関して、例えば、長手方向Ｌに沿って偏位することができる。リード２７１は、２０１２年５月３１日に出願されて、米国特許出願１３/４８４,７７４において記述されるように構築することができ、あたかもその全体においてここに述べられるかのように、その参照によってこれによって組込まれる。
【手続補正４】
【補正対象書類名】明細書
【補正対象項目名】０１６８
【補正方法】変更
【補正の内容】
【０１６８】
[０２２５] 接地プレート１６８は、さらに、横方向Ａに沿って接地プレート本体１７０を介して延びる複数のインピーダンス制御開口１９６を有する。例えば、インピーダンス制御開口１９６は、横断方向Ｔに沿ってリブ１８４の直ちに隣接するものの間の位置で接地プレート本体１７０を介して延びることができる。開口１９６は、長手方向Ｌおよび横断方向Ｔによって画定される平面に沿って取囲むことができる。例証された実施例によれば、インピーダンス制御開口１９６のそれぞれは、電気信号接点１５２の結合端部１５６の選択した１つと、電気信号接点１５２の結合端部１５８の選択した１つとの間で整列することができる。例えば、インピーダンス制御開口１９６は、電気信号接点１５２の結合端部１５６に隣接して配置されるインピーダンス制御開口１９６ａの第１複数と、電気信号接点１５２の設置端部１５８に隣接して配置されるインピーダンス制御開口１９６bの第２複数とを有することができる。したがって、インピーダンス制御開口１９６ａの第１複数は、第２インピーダンス制御開口１９６ｂが、結合端部１５６から一定間隔で配置される距離に関して結合端部１５６に接近して一定間隔で配置される。インピーダンス制御開口１９６ａおよび１９６ｂの第１および第２複数のそれぞれは、横断方向Ｔに沿ったそれぞれの第１寸法および長手方向Ｌにおけるそれぞれの第２寸法を画定することができる。第２インピーダンス制御開口１９６ｂの第１および第２寸法の両方は、第１インピーダンス制御開口１９６ａのそれぞれの第１および第２寸法より大きいということができる。金属が、より高い誘電率を有しており、かつ、インピーダンスが、インピーダンス制御開口１９６を創成するように、例えば接地プレート本体１７０の一部の除去によって制御することができることが、認識される。例証された実施例によれば、整列した結合端部１５６と長手方向Ｌに沿った接地端部１７４の各対の間に引かれたラインは、延びて、例えば、インピーダンス制御開口１９６ａの第１複数の１つ、およびインピーダンス制御開口１９６ｂの第２複数の１つを２等分する。接地プレート１６８は、それぞれに、接地結合端部１７２、リブ１８４、および接地結合端部１７４と整列する位置で、インピーダンス制御開口を欠如することができる。認識されるべきことは、インピーダンス制御開口１９６が、望まれるような任意のサイズおよび形状の接地プレート本体１７０を介して延びるいかなる数の開口をも有することができることである。さらに、ここに記述されたいずれの電気コネクタも、ここに記述されたタイプのインピーダンス制御リブを有することができる。
【手続補正５】
【補正対象書類名】明細書
【補正対象項目名】０２３８
【補正方法】変更
【補正の内容】
【０２３８】
[０２９１] 各圧縮シールド４９０のシールド本体４９２は、横断方向Ｔに沿って相互から離れて一定間隔で配置される複数のほぼ「Ｕ」形状のキャノピー４９４を画定することができる。各キャノピー４９４は、ケーブル５００が、データ信号を搬送するときに、例えば、ケーブル５００間の電気クロストークを縮小するように、空洞（cavity）のそれぞれ隣接するものに配置される複数のケーブル５００の他のもののそれぞれの端部５１２からケーブル５００のそれぞれのものの端部５１２を受けて、分離するように構成される。例証された実施例によれば、各キャノピー４９４は、横方向Ａに沿って内側端部４９２ｂから一定間隔で配置される頂部壁４９７、および、横断方向Ｔに沿って相互から離れて一定間隔で配置される対向する第１および第２側壁４９３および４９５を有している。圧縮シールド４９０は、リードフレームハウジング４３２の第１および第２取付アーム４３８および４４０に取付けられるように構成される取付部材４９８を有することができる。取付部材４９８は、シールド本体４９２の第１および第２側部４９２ｃおよび４９２ｄで配置することができる。取付部材４９８は、同一のもの、または、異なるように形作ることができる。